(57)【要約】    【課題】火災位置を特定できる様にする。    【解決手段】監視空間３２に敷設され、吸引孔を備えたサンプリング管１と、該サンプリング管の両端に接続する切替弁３０と、該切替弁に接続し、前記サンプリングエアＳＡを吸引する検煙部２５と、前記切替弁の切り替えを制御し、前記検煙部の煙検出レベルを判別する制御部と、を備えている煙感知システムにおいて；監視時、前記切替弁と前記サンプリング管の一端を開状態とし、前記検煙部が煙検出時に、前記切替弁と前記サンプリング管の他端を開状態に切り替え、前記検煙部が再び煙検出するまでの時間を測定して火災発生位置を特定する。    【選択図】  図２
2008250682.tif 000002
【特許請求の範囲】
【請求項１】
監視空間に敷設され、吸引孔を備えたサンプリング管と、該サンプリング管の両端に接続する切替弁と、該切替弁に接続し、前記サンプリング管のサンプリングエアを吸引する検煙部と、前記切替弁の切り替えを制御し、前記検煙部の煙検出レベルを判別する制御部と、を備えている煙感知システムにおいて；
監視時、前記切替弁と前記サンプリング管の一端を開状態とし、前記検煙部が煙検出時に、前記切替弁と前記サンプリング管の他端を開状態に切り替え、前記検煙部が再び煙検出するまでの時間を測定して火災発生位置を特定させることを特徴とする煙感知システム。
【請求項２】
監視空間に敷設され、吸引孔を備えたサンプリング管と、該サンプリング管の両端に、それぞれサンプリングエアを吸引する検煙部と、該検煙部の煙検出レベルを判別する制御部と、からなる煙感知器を設置して受信装置と接続した煙感知システムにおいて、
いずれか１台の煙感知器が火災検出すると、前記受信装置は火災検出した煙感知器の吸引量を監視時以下とする一方で、他の煙感知器の吸引量を監視時より増加させ、火災発生位置を特定させることを特徴とする煙感知システム。
【請求項３】
監視空間に敷設され、吸引孔を備えたループ状のサンプリング管と、該サンプリング管に所定間隔をおいて２個以上配置された、検煙部を有する煙感知器と、前記サンプリング管から前記検煙部に吸引されるサンプリングエアの吸引力を制御するとともに、前記検煙部の煙検出レベルを判別する制御部と、を備えた煙感知システムにおいて、
前記各煙感知器の検煙部の吸引力を所定値にして火災監視し、前記煙感知器中の１個が火災検出したときには、該煙を検出した煙感知器の直近、又は、両側の煙感知器の吸引力を、前記煙を検出した煙感知器の吸引力よりも大きくするとともに、
前記直近、又は、両側の煙感知器のうち、いずれか１台の煙感知器が煙を感知した時には、前記直近、又は、両側の煙感知器の吸引力を大きくした時から前記直近、又は、両側の煙感知器のうち、いずれか１台の煙感知器が煙を感知するまでに要した時間に基いて、火災発生位置を特定することを特徴とする煙感知システム。
【請求項４】
サンプリングエアが吸引される検煙部を備えた１台の煙感知器と、吸引孔が設けられ、ループ状に形成されたサンプリング管であって、監視空間に配置され、前記検煙部の入口に弁手段を介して連結されているサンプリング配管と、前記弁手段を制御する制御部と、を備えた煙感知システムの煙感知方法において、
火災監視時には、前記サンプリング管の接続部の一端部を開、他端部を閉にして前記一端部側からのみサンプリングエアを検煙部内に供給する行程と、
煙検出時には、前記制御部が火災監視時と逆に弁手段の開閉を行わせ、他端部側からのみ前記サンプリングエアを前記検煙部内に供給させる行程と、
前記制御部が、前記弁手段を切り替えた時から煙を検出するまでの時間を測定し、火災発生位置を特定する行程と、
を備えていることを特徴とする煙感知システムの煙感知方法。
【請求項５】
監視空間に敷設され、吸引孔を備えた１本のサンプリング管と、該サンプリング管の両端にそれぞれ接続された煙感知器の検煙部と、前記サンプリング管から前記検煙部に吸引されるサンプリングエアの吸引力を制御するとともに、前記検煙部の煙検出レベルを判別する制御部と、を備えた煙感知システムの煙感知方法において、
前記両煙感知器の検煙部の吸引力を所定値にして火災監視する行程と、
いずれか一方の煙感知器が煙検出したときには、該煙感知器の吸引力を監視時以下として他方の煙感知器の吸引力を監視時より大きくする行程と、
前記他方の煙感知器が煙感知したときには、前記制御部が該他方の煙感知器の吸引力に基づいて、火災発生位置を特定する行程と、
を備えていることを特徴とする煙検知システムの煙感知方法。
【請求項６】
監視空間に敷設され、吸引孔を備えたループ状のサンプリング管と、該サンプリング管に所定間隔をおいて２個以上配置された、検煙部を有する煙感知器と、前記サンプリング管から前記検煙部に吸引されるサンプリングエアの吸引力を制御するとともに、前記検煙部の煙検出レベルを判別する制御部と、を備えた煙感知システムの煙感知方法において、
前記各煙感知器の検煙部の吸引力を所定値にして火災監視する行程と、
前記煙感知器中の1個が火災検出したときには、該煙を検出した煙感知器の直近、又は、両側の煙感知器の吸引力を、前記煙を検出した煙感知器の吸引力よりも大きくする行程と、
前記直近、又は、両側の煙感知器のうち、いずれか１台の煙感知器が煙を感知する行程と、
前記直近、又は、両側の煙感知器の吸引力を大きくした時から直近、又は、両側の煙感知器のうち、いずれか１台の煙感知器が煙を感知するまでに要した時間に基いて、火災発生位置を特定する行程と、
を備えていることを特徴とする煙検知システムの煙感知方法。
【発明の詳細な説明】
【技術分野】
【０００１】
この発明は、空気中に浮遊する煙等の汚染物資を光学的に検知する、煙感知システム及び煙感知方法に関するものであり、特に、超高感度煙感知器を用いる煙感知システム及び煙感知方法に関するものである。
【０００２】
火災予防や煙発生時の検知システムとして、或いは、一定の環境保全を必要とする半導体製造工場や食品工場において煙検知器が使用されている。
【０００３】
この煙検知器は、次のように構成されている（例えば、特許文献１、参照）。空気の吸引孔が適宜の位置に複数配設されている、ネットワーク状に敷設されているサンプリング管と、このサンプリング管へ空気を吸引させる空気吸引装置と、上記サンプリング管の内部に分散配置された複数の煙検知器と、いずれかの上記煙検知器からの検知信号を受信して表示する表示装置と、上記空気吸引装置に近接して設けられた、分散配置された上記煙検知器より感度能力が高い煙検知器と、を備えた煙検知システム。
【０００４】
【特許文献１】特許第３６４８３０７号
【発明の開示】
【発明が解決しようとする課題】
【０００５】
従来例は、ネットワーク状に敷設されているサンプリング管と、このサンプリング管へ空気を吸引させる空気吸引装置と、上記サンプリング管の内部に分散配置された複数の煙検知器と、いずれかの上記煙検知器からの検知信号を受信して表示する表示装置と、を設けているが、サンプリング管は共通化していないため、火災発生は検知できるが、該火災発生位置までは特定することが出来なかった。そのため、初期消火を効果的に行うことが困難であった。
【０００６】
この発明は、上記事情に鑑み、火災位置を特定できる様にすることを目的とする。
【課題を解決するための手段】
【０００７】
この発明は、監視空間に敷設され、吸引孔を備えたサンプリング管と、該サンプリング管の両端に接続する切替弁と、該切替弁に接続し、前記サンプリング管からのサンプリングエアを吸引する検煙部と、前記切替弁の切り替えを制御し、前記検煙部の煙検出レベルを判別する制御部と、を備えている煙感知システムにおいて；監視時、前記切替弁と前記サンプリング管の一端を開状態とし、前記検煙部が煙検出時に、前記切替弁と前記サンプリング管の他端を開状態に切り替え、前記検煙部が再び煙検出するまでの時間を測定して火災発生位置を特定させることを特徴とする煙感知システム、である。
【０００８】
この発明は、監視空間に敷設され、吸引孔を備えたサンプリング管と、該サンプリング管の両端に、それぞれサンプリングエアを吸引する検煙部と、該検煙部の煙検出レベルを判別する制御部と、からなる煙感知器を設置して受信装置と接続した煙感知システムにおいて、いずれか１台の煙感知器が火災検出すると、前記受信装置は火災検出した煙感知器の吸引量を監視時以下とする一方で、他の煙感知器の吸引量を監視時より増加させ、火災発生位置を特定させることを特徴とする煙感知システム、である。
【０００９】
この発明は、監視空間に敷設され、吸引孔を備えたループ状のサンプリング管と、該サンプリング管に所定間隔をおいて２個以上配置された、検煙部を有する煙感知器と、前記サンプリング管から前記検煙部に吸引されるサンプリングエアの吸引力を制御するとともに、前記検煙部の煙検出レベルを判別する制御部と、を備えた煙感知システムにおいて、前記各煙感知器の検煙部の吸引力を所定値にして火災監視し、前記煙感知器中の１個が火災検出したときには、該煙を検出した煙感知器の直近、又は、両側の煙感知器の吸引力を、前記煙を検出した煙感知器の吸引力よりも大きくするとともに、前記直近、又は、両側の煙感知器のうち、いずれか１台の煙感知器が煙を感知した時には、前記直近、又は、両側の煙感知器の吸引力を大きくした時から前記直近、又は、両側の煙感知器のうち、いずれか１台の煙感知器が煙を感知するまでに要した時間に基いて、火災発生位置を特定することを特徴とする煙検知システム、である。
【００１０】
この発明は、サンプリングエアが吸引される検煙部を備えた１台の煙感知器と、吸引孔が設けられ、ループ状に形成されたサンプリング管であって、監視空間に配置され、前記検煙部の入口に弁手段を介して連結されているサンプリング配管と、前記弁手段を制御する制御部と、を備えた煙感知システムの煙感知方法において、火災監視時には、前記サンプリング管の接続部の一端部を開、他端部を閉にして前記一端部側からのみサンプリングエアを検煙部内に供給する行程と、煙検出時には、前記制御部が火災監視時と逆に弁手段の開閉を行わせ、他端部側からのみ前記サンプリングエアを前記検煙部内に供給させる行程と、前記制御部が、前記弁手段を切り替えた時から煙を検出するまでの時間を測定し、火災発生位置を特定する行程と、を備えていることを特徴とする煙感知システムを用いる煙感知方法、である。
【００１１】
この発明は、監視空間に敷設され、吸引孔を備えた１本のサンプリング管と、該サンプリング管の両端にそれぞれ接続された煙感知器の検煙部と、前記サンプリング管から前記検煙部に吸引されるサンプリングエアの吸引力を制御するとともに、前記検煙部の煙検出レベルを判別する制御部と、を備えた煙感知システムの煙感知方法において、前記両煙感知器の検煙部の吸引力を所定値にして火災監視する行程と、いずれか一方の煙感知器が煙検出したときには、該煙感知器の吸引力を監視時以下として他方の煙感知器の吸引力を監視時より大きくする行程と、前記他方の煙感知器が煙感知したときには、前記制御部が該他方の煙感知器の吸引力に基づいて、火災発生位置を特定する行程と、を備えていることを特徴とする煙検知システムの煙感知方法、である。
【００１２】
この発明は、監視空間に敷設され、吸引孔を備えたループ状のサンプリング管と、該サンプリング管に所定間隔をおいて２個以上配置された、検煙部を有する煙感知器と、前記サンプリング管から前記検煙部に吸引されるサンプリングエアの吸引力を制御するとともに、前記検煙部の煙検出レベルを判別する制御部と、を備えた煙感知システムの煙感知方法において、前記各煙感知器の検煙部の吸引力を所定値にして火災監視する行程と、前記煙感知器中の1個が火災検出したときには、該煙を検出した煙感知器の直近、又は、両側の煙感知器の吸引力を、前記煙を検出した煙感知器の吸引力よりも大きくする行程と、前記直近、又は、両側の煙感知器のうち、いずれか１台の煙感知器が煙を感知する行程と、前記直近、又は、両側の煙感知器の吸引力を大きくした時から前記直近、又は、両側の煙感知器のうち、いずれか１台の煙感知器が煙を感知するまでに要した時間に基いて、火災発生位置を特定する行程と、を備えていることを特徴とする煙検知システムの煙感知方法、である。
【発明の効果】
【００１３】
この発明は、サンプリングエアが吸引される検煙部を備えた１台の煙感知器と、吸引孔が設けられ、ループ状に形成されたサンプリング管であって、監視空間に配置され、前記検煙部の入口に弁手段を介して連結されているサンプリング配管と、前記弁手段を制御する制御部とを備えているので、前記弁手段を切り替えることにより、前記弁手段を切り替えた時から煙を検出するまでに要した時間を測定し、該計測時間とサンプリング管内に吸引されるサンプリングエアの流速とに基づいて、火災発生位置を特定することができる。
【００１４】
この発明は、監視空間に敷設され、吸引孔を備えた１本のサンプリング管と、該サンプリング管の両端にそれぞれ接続された煙感知器の検煙部と、前記サンプリング管から前記検煙部に吸引されるサンプリングエアの吸引力を制御するとともに、前記検煙部の煙検出レベルを判別する制御部と、を備えているので、前記煙感知器の検煙部の吸引力のバランスを変化させることにより、サンプリングエアの境界（分岐点）を求め、この分岐点に基づいて火災発生位置を特定することができる。
【００１５】
この発明は、監視空間に敷設され、吸引孔を備えたループ状のサンプリング管と、該サンプリング管に間隔をおいて２個以上配置された、検煙部を有する煙感知器と、前記サンプリング管から前記検煙部に吸引されるサンプリングエアの吸引力を制御するとともに、前記検煙部の煙検出レベルを判別する制御部と、を備えているので、最初に煙を検出した煙感知器の吸引力を小さくするとともに、該煙感知器の直近、又は、両側の煙感知器の吸引力を大きし、前記吸引力を大きくした時から前記直近、又は、両側の煙感知器のうち、いずれか１台の煙感知器が煙を感知するまでに要した時間を計測し、該計測時間と吸引力、即ち、サンプリング管内に吸引されるサンプリングエアの流速とに基づいて、火災発生位置を特定することができる。
【発明を実施するための最良の形態】
【００１６】
この発明の第1実施の形態を図１〜図５により説明する。
図１に示す様に、煙感知器２の暗箱２１内には、発光素子１１と、フォトダイオード等の受光素子１２と、が配置されている。前記暗箱２１の中央部には、検煙部２５が設けられ、該検煙部２５の入口４は三方弁３０を介してループ状のサンプリング管１に連結されている。
【００１７】
前記サンプリング管１は、火災が発生したか否かが監視されている空間、即ち、監視空間３２に、例えば、約５０ｍにわたって配設されており、適宜の間隔(例えば、５０ｃｍピッチ)で複数の吸引孔３４が設けられている。このサンプリング管１の両端部は第1接続口３０ａ、及び第２接続口３０ｂとなっており、前記検煙部２５へ導く接続口３０ａ，３０ｂは、前記三方弁(切替弁)３０が選択的に切替わることにより開閉される。
【００１８】
前記三方弁３０の開閉操作は、制御部(図示省略)により行われる。この制御部は、前記受光素子１２に連結されており、該受光素子１２の検出信号Ｓの出力により火災を判断し、警報装置を作動させる。
【００１９】
図１において、２３は遮光部２２に設けた光トラップ、２４は集光レンズ、２６はアパーチャ、をそれぞれ示す。
【００２０】
次に、本実施例の作動について説明する。
火災監視時：
図２に示すように、三方弁３０を操作し、サンプリング管１の第１接続口３０ａを開、第２接続口３０ｂを閉にする。この状態で、ファン(図示省略)を駆動すると、監視空間３２内の空気Ａは、吸引孔３４からサンプリング管１内に吸引され、第１接続口３０ａを通って検煙部２５に導入され、その後、該検煙部２５から排気Ａ１される。
【００２１】
煙検出時：
図３に示すように、火災が発生し、火源３６から煙が発生すると、この煙ＳＭは空気Ａとともに、前記火源３６の真上に位置する吸引孔３４ｐからサンプリング管１内に吸引され、サンプリングエアＳＡとなって第１接続口３０ａを通り、検煙部２５内に吸引される。そのため、前記サンプリングエアＳＡ中の煙粒子は、検煙部２５内を通る発光素子１１から照射されるビームに当たり、それにより発生した散乱光は受光素子１２により受光される。
【００２２】
前記散乱光を受光した受光素子１２は、検知出力を制御部に出力する。そうすると、前記制御部は検出レベルが火災レベルか否かを判断し、火災と判断したときには、前記三方弁３０を火災監視時と逆に切り替え、第１接続口３０ａを閉、第２接続口３０ｂを開にする（図４参照）。
【００２３】
なお、前記三方弁３０の切り替え前は、第２接続口３０ｂ側のサンプリング管１Ｂ内には監視空間３２内の空気は吸引されないので、ここに溜っている空気は、煙の混入しない清浄な状態の空気である。
【００２４】
図４に示す様に、三方弁３０を切り替えると、監視空間３２内の空気Ａは、同じ吸引孔３４ｐから吸引されて火災監視時と逆方向、即ち、吸引孔３４ｐを通ってサンプリング管１内に吸引され、第２接続口３０ｂを通って検煙部２５に流入する(図５参照)。
【００２５】
この時、検煙部２５には、最初に前記サンプリング管１Ｂ内に滞留していた空気Ａが供給され、その後、煙の混じったサンプリングエアＳＡが供給される。そのため、検煙部（煙感知器）２５は、三方弁３０の切り替え後、暫くしてから煙を検出し警報を発する。
【００２６】
前記制御部は、三方弁３０を切り替えてから煙感知器２が煙を検出するまでに要する時間、即ち、煙の無い状態の時間、を計測し、この計測時間に基づいて、サンプリング管１の煙を吸い込んだ吸引孔３４ｐの位置、即ち、火源３６の真上の位置、を算出して特定する。
【００２７】
例えば、サンプリングエアＳＡの吸引速度がｖ(m/s)とし、三方弁３０を切り替えてから煙を検出するまでに要した時間をｔ(秒)とすると、前記検煙部２５から、ｖ×ｔ(m)  離れた位置が、火源３６の真上にある吸引孔３４ｐとなる。
なお、この実施形態において、三方弁３０は常時両端を開いていてもよく、火災検出時に一端から吸引し、その後で他端から吸引しても良い。
【００２８】
この発明の第２実施の形態を図６〜図９により説明するが、図１〜図５と同一図面符号は、その名称も機能も同一である。なお、煙感知器２５Ａ、２５Ｂの制御部は、受信装置に連結されている。
この実施の形態と第１実施の形態との相違点は、(1)サンプリング管１がループ状の代わりに、一本の直筒状となっていること、(2)煙感知器（検煙部）が、サンプリング管１の両端部にそれぞれ配置されていること、である。
【００２９】
この実施の形態の作動について説明する。
火災監視時：
制御部(図示しない)は、煙感知器の検煙部２５Ａ、２５Ｂの吸引力を同一の強さに制御する。そうすると、監視空間３２内の空気Ａは、吸引孔３４を通ってサンプリング管１内に吸引されるが、サンプリング管１の中間位置Ｃを境界（分岐点）にして監視空間３２から吸引される空気Ａが、左右に分けられ、各検煙部２５Ａ、２５Ｂ側に流れ込む。
【００３０】
前記中間位置（分岐点）Ｃは、サンプリング管１の長さ方向の真ん中なので、検煙部２５Ａから分岐点Ｃまでの距離Ｌと、検煙部２５Ｂから分岐点Ｃまでの距離Ｌとは等しくなっている（図６参照）。
【００３１】
煙検出時：
火災が発生し、火源３６から煙ＳＭが発生すると、前記煙ＳＭは空気Ａと共に、サンプリング管１内に吸引されるが、火源３６が検煙部２５Ａ寄りなので、前記空気Ａは中間位置Ｃより検煙部２５Ａ寄りの吸引孔３４からサンプリング管１内に吸引される。前記サンプリング管１に流入したサンプリングエアＳＡは、煙感知器の検煙部２５Ａに入り、煙が検出される（図７参照）。
【００３２】
検煙部２５Ａが煙を検出すると、該煙感知器は、図示しない制御部に煙検出信号を送出する。前記制御部はその煙検出信号の検出レベルに基づいて火災か否かを判断し、火災と判断したときには、検煙部２５Ａの吸引力Ｐを下げるか、又はそのままとし、検煙部２５Ｂの吸引力Ｐは上昇させる。例えば、検煙部２５Ａの吸引力は、Ｐ−ΔＰ１、検煙部２５Ｂの吸引力は、Ｐ＋ΔＰ１、に設定される（図８参照）。
【００３３】
なお、検煙部２５Ａが煙を検出した段階では、火災が中間位置Ｃより検煙部２５Ａ側で発生したことはわかるが、その具体的位置はわからない。
【００３４】
前記のようにして両検煙部２５Ａ、２５Ｂの吸引力のバランスを変化させると、分岐点Ｃ１の位置が吸引孔３４ａの位置に変化する(図８参照)。このとき、例えば、分岐点Ｃ１から検煙部２５Ａまでの距離は、Ｌ−ΔＬ１となり、又、分岐点Ｃ１から検煙部２５Ｂまでの距離は、Ｌ＋ΔＬ１、となる。この時点では、煙ＳＭは分岐部Ｃ１より検煙部２５Ａ側の吸引孔３４から吸引され、前記検煙部２５Ｂ側には流入しない。
【００３５】
次に、前記検煙部２５Ａ、２５Ｂの吸引力のバランスを更に変化させ、前記検煙部２５Ａの吸引力を更に小さくするか、又は、そのままとし、検煙部２５Ｂの吸引力を更に大きくする。例えば、検煙部２５Ａの吸引力は、Ｐ−ΔＰ２、検煙部２５Ｂの吸引力は、Ｐ＋ΔＰ２、に設定する。
【００３６】
前記のようにして検煙部２５Ｂの吸引力を検煙部２５Ａより強くすると、分岐点Ｃ２の位置が吸引孔３４ｂの位置に変化する(図９参照)。このとき、例えば、分岐点Ｃ２から検煙部２５Ａまでの距離は、Ｌ−ΔＬ２となり、又、分岐点Ｃ２から検煙部２５Ｂまでの距離は、Ｌ＋ΔＬ２、となる。この時点では、煙ＳＭは分岐部Ｃ２の吸引孔３４ｂから吸引され、前記検煙部２５Ｂ側に流入するので、該検出部２５Ｂの煙感知器が煙を検出し、検出信号を制御部に送出する。
【００３７】
前記制御部は、検煙部２５Ｂの煙感知器が煙を検出したときの分岐点Ｃ２の位置を計算し、火源３６の位置を特定する。この実施の形態では、検煙部２５Ａから距離Ｌ−ΔＬ２の位置、又は、検煙部２５Ｂから距離Ｌ＋ΔＬ２の位置、の真下に火源３６が存在することがわかる。
【００３８】
図６〜図９においては、サンプリング管１は１系統であるが、サンプリング管１を複数系統として並列配置させても良い。また、検煙部を３台以上設け、互いに両側の検煙部との間にサンプリング管１を配置しても良い。
【００３９】
この発明の第３実施の形態を図１０、図１１により説明するが、図１〜図５と同一図面符号はその名称も機能も同一である。なお、検煙部（煙感知器）２５Ａ〜２５Ｄの制御部は、図示しない受信装置に設けられている。
この実施の形態と第１実施の形態との相違は、検煙部（煙感知器）が所定間隔をおいて２台以上、例えば、４台設けられ、又、サンプリング管１Ｌがループ状に設けられるとともに、そのサンプリング管１Ｌから分岐した各分岐管１Ｓに各煙感知器の検煙部２５Ａ、２５Ｂ、２５Ｃ、２５Ｄが設けられていることである。
【００４０】
この実施例の作動について説明する。
火災監視時：
各検煙部（煙感知器）２５Ａ、２５Ｂ、２５Ｃ、２５Ｄの吸引力Ｐは、同一に調整されている。そのため、各検煙部２５Ａ、２５Ｂ、２５Ｃ、２５Ｄのそれぞれの中間位置に境界(分岐点)が存在する。
【００４１】
煙検出時：
火災が発生し、火源３６から煙SMが発生すると、前記火源３６に最も近い検煙部２５Ｂ(煙感知器)が煙を検出し、制御部に煙検出信号を送出する。前記制御部は、受信した前記煙検出信号が火災レベルか否かを判断する。
【００４２】
前記制御部が火災と判断したときには、煙を検出した検煙部２５Ｂの吸引力を下げて、該検煙部２５Ｂの両側の検煙部２５Ａ、２５Ｃの吸引力を強くする。例えば、検煙部２５Ｂの吸引力は、Ｐ−ΔＰ、又は、零とし、前記検煙部２５Ａ、２５Ｃの吸引力は、Ｐ＋ΔＰにする。
【００４３】
そうすると、第２実施の形態と同様に、火源３６に近い方の検煙部２５Ａが速く煙を検出し、前記制御部に煙検出信号を送出する。前記制御部は吸引力Ｐ＋ΔＰに変えた時から煙検出部２５Ａが煙を検出するまでの時間を計測し、該計測時間から火源３６の位置を計算する。
【００４４】
即ち、吸引力Ｐ＋ΔＰにおけるサンプリングエアＳＡの流速をｖ(m／ｓ)とし、前記計測時間をｔ(秒)とすると、検煙部２５Ａから、ｖ×ｔ（ｍ）離れた位置の吸引孔３４ｃの真下に火源３６が存在することになる。なお、第2実施の形態のように境界(分岐点)の移動量を計算しても良い。
【００４５】
第２実施の形態及び第3実施の形態においては、火災監視時の各煙感知器の検煙部２５Ａ、２５Ｂ、２５Ｃ、２５Ｄの吸引力Ｐは同一に調整されている例を示したが、各吸引力は同一としなくてもよい。これにより、サンプリング管１における分岐点Ｃを自由に設定できる。
【００４６】
この発明の実施形態は、上記に限定されるものではなく、例えば、次のようにすることも出来る。
煙感知システムは、監視空間に敷設され、吸引孔を備えたループ状のサンプリング管と、該サンプリング管に所定間隔をおいて２個配置された、検煙部を有する煙感知器と、前記サンプリング管から前記検煙部に吸引されるサンプリングエアの吸引力を制御するとともに、前記検煙部の煙検出レベルを判別する制御部と、を備えている。
【００４７】
前記各煙感知器の検煙部の吸引力を所定値にして火災監視し、前記煙感知器中の１個（一方の煙感知器）が火災検出したときには、該煙を検出した煙感知器の直近の煙感知器(他方の煙感知器)の吸引力を、前記煙を検出した煙感知器(他方の煙感知器)の吸引力よりも大きくする。
【００４８】
そして、前記直近の煙感知器(他方の煙感知器)が煙を感知した時には、該煙感知器の吸引力を大きくした時から該煙感知器が煙を感知するまでに要した時間に基いて、火災発生位置を特定する。
【図面の簡単な説明】
【００４９】
【図１】本発明の第１実施の形態の煙感知器を示す拡大縦断面図である。
【図２】本発明の第１実施の形態を示す平面図である。
【図３】図２の他の状態を示す平面図である。
【図４】図２の他の状態を示す平面図である。
【図５】図２の他の状態を示す平面図である。
【図６】本発明の第２実施の形態を示す平面図である。
【図７】図６の他の状態を示す平面図である。
【図８】図６の他の状態を示す平面図である。
【図９】図６の他の状態を示す平面図である。
【図１０】本発明の第３実施の形態を示す平面図である。
【図１１】図１０の他の状態を示す平面図である。
【符号の説明】
【００５０】
１      サンプリング管
１Ｌ    サンプリング管
２      煙感知器
２１    暗箱
２５    検煙部
３０    三方弁
３４    吸引孔
ＳＡ    サンプリングエア
【図１】
2008250682.tif 000003
【図２】
2008250682.tif 000004
【図３】
2008250682.tif 000005
【図４】
2008250682.tif 000006
【図５】
2008250682.tif 000007
【図６】
2008250682.tif 000008
【図７】
2008250682.tif 000009
【図８】
2008250682.tif 000010
【図９】
2008250682.tif 000011
【図１０】
2008250682.tif 000012
【図１１】
2008250682.tif 000013